(57)【要約】【課題】  脚立を使わなくても簡単かつ安全に立設できる、ネット、紐張り、添え木などに経済的に使用できる支柱を提供する。【解決手段】  土中に打ち込んで立設される支柱立設部と、この支柱立設部の上端部に上方から差し込むことにより嵌め込まれて一本の棒状に接続される支柱本体部とからなり、かつ前記支柱本体部にはその長手方向に沿って複数個の上向きフックを設けたことを特徴とするネット・紐張りなどに用いる支柱。【選択図】  図３
0003131637.tif 000002
【実用新案登録請求の範囲】
【請求項１】
土中に打ち込んで立設される支柱立設部と、この支柱立設部の上端部に上方から差し込むことにより嵌め込まれて一本の棒状に接続される支柱本体部とからなり、かつ前記支柱本体部にはその長手方向に沿って複数個の上向きフックを設けたことを特徴とするネット・紐張りなどに用いる支柱。
【請求項２】
支柱立設部と支柱本体部とをほぼ四角のパイプ体でかつその四角の一辺に突条部を有しかつこの一辺と対向する一辺に開口部を有する断面形状として、支柱立設部の上端開口に支柱本体部の下端を互いの突条部を合わせて差し込むようにすると共に、この接続状態では支柱立設部の突条部内面にある上向き状くわえフックに支柱本体部の下端が嵌まり込むと同時に支柱本体部の突条部外面にある下向き状くわえフックに支柱立設部の上端が嵌まり込むようにしたことを特徴とする請求項１記載のネット・紐張りなどに用いる支柱。
【考案の詳細な説明】
【技術分野】
【０００１】
本考案は、防風ネット・防鳥ネット・獣害避けネットなどを張るとき、サヤエンドウ・キュウリ・ゴーヤ・山芋などの野菜栽培時に紐等を張るとき、植木成木の添え木用として使用するときなどに用いる支柱に関するものである。
【背景技術】
【０００２】
この種のネット・紐張りなどに用いる支柱としては、一般的に間伐材・農ビ管・カラー鋼管等が用いられているが、各種ネットを張るときのネットの高さ・野菜栽培時の野菜の丈・添え木の長さが２．５ｍ〜３．５ｍほどであるので、支柱の長さも同様の長さに設定されている。
【０００３】
ネットや紐を張るときには、このように長い一本棒の支柱を土中に打ち込むのであるが、その際には勿論のこと脚立を使っての一人作業となるし、しかもそのほとんどの場合作業者は高齢者であるので、脚立に乗っての打ち込み作業は大変な重労働でしかも大変危険であり、事故が多発している。そのために、最近、かかる作業において、脚立が倒れないようにして作業をするようにとの行政指導が発せられたばかりである。
【０００４】
また、これらの支柱は一般的に、土中に打ち込まれて使用されるが、土中に打ち込まれた部分は、比較的短期間で腐食又は劣化するため、地上部分がまだ使用可能であっても支柱全体を一緒に交換しなければならず、経済的でなかった。
【考案の開示】
【考案が解決しようとする課題】
【０００５】
本考案は、かかる従来技術の現状に鑑み創案されたものであり、その目的は脚立を使わなくても簡単かつ安全に立設できる、ネット、紐張り、添え木などに経済的に使用できる支柱を提供することにある。
【課題を解決するための手段】
【０００６】
本考案は、土中に打ち込んで立設される支柱立設部と、この支柱立設部の上端部に上方から差し込むことにより嵌め込まれて一本の棒状に接続される支柱本体部とからなり、かつ前記支柱本体部にはその長手方向に沿って複数個の上向きフックを設けたことを特徴とする。また、本考案の好ましい態様は、支柱立設部と支柱本体部とをほぼ四角のパイプ体でかつその四角の一辺に突条部を有しかつこの一辺と対向する一辺に開口部を有する断面形状として、支柱立設部の上端開口に支柱本体部の下端を互いの突条部を合わせて差し込むようにすると共に、この接続状態では支柱立設部の突条部内面にある上向き状くわえフックに支柱本体部の下端が嵌まり込むと同時に支柱本体部の突条部外面にある下向き状くわえフックに支柱立設部の上端が嵌まり込むようにしたことを特徴とする。
【考案の効果】
【０００７】
本考案は、打ち込みやすい長さの支柱立設部のみを先に土中に打ち込んで立設した後、これに支柱本体部を差し込みにより嵌め込んで接続するだけで支柱の立設ができるようにすることにより、脚立を使うことなく簡単かつ安全に支柱の立設ができるようになる。従って、本考案の支柱は、高齢者においても支柱の立設作業が脚立を使わずに一人で簡単・安全にできるようになるという効果がある。また、土中に打ち込まれた部分が腐食又は劣化しても支柱全体を交換する必要がなく、経済的である。
【考案を実施するための最良の形態】
【０００８】
本考案は、支柱を立設部と本体部の二つに分け、打ち込みやすい長さの支柱立設部のみを先に土中に打ち込んで立設し、これに支柱本体部を差し込みにより嵌め込んで一本の棒状に接続することにより、脚立を使わずに簡単かつ安全に支柱の立設ができるようにしたものである。
【実施例】
【０００９】
図１は本考案支柱の一実施例を示す側面図、図２は図１の接続部を示す部分拡大縦断面図、図３は図２の接続状態に対して差込前の状態を示す部分拡大縦断面図、図４は図３を下からみた図、図５は図３を上からみた図である。
【００１０】
図において、１は土中に打ち込んで立設される支柱立設部で、ほぼ四角のパイプ体でかつその四角の一辺に突条部１ａを有すると共にこの一辺と対向する一辺に開口部１ｂを有する断面形状をしている。２は支柱立設部１の上端から２０ｃｍほど下がった突条部１ａの内面に設けた上向き状くわえフック、３は支柱立設部１の下端に設けた尖鋭部である。
この支柱立設部１は長さが１ｍほど（場合によっては１．５ｍ）で、一体成形品に加工されて溶融亜鉛メッキ（ドブ漬）が施されている。
【００１１】
次に、４は支柱立設部１の上端部に上方から差し込むことにより嵌め込まれて一本の棒状に接続される支柱本体部で、支柱立設部１と同形の断面形状，即ちほぼ四角のパイプ体でかつその四角の一辺に突条部４ａを有すると共にこの一辺と対向する一辺に開口部４ｂを有する断面形状をしている。この支柱本体部４は、支柱立設部１のパイプ内に差し込めるように外側寸法を支柱立設部１の内側寸法よりも小さくしてある。
【００１２】
５は支柱本体部４の下端から２０ｃｍほど上がった突条部４ａの外面に設けた下向き状くわえフック、６は支柱本体部４の全長にわたって等間隔に複数個配設した上向きフックで、漁網・キュウリネット・マイカー線及び針金などを差し込めるようになっている。
この支柱本体部４は１ｍ〜２．５ｍの範囲で長さの異なるものを準備してあって、用途に合わせて支柱の長さが選べるようになっており、また一体成形品に加工されて溶融亜鉛メッキ（ドブ漬）が施されている。
【００１３】
今、支柱を立設するとき、まず支柱立設部１のみを土中に打ち込む。支柱立設部１の長さは１ｍほどであるので、支柱立設部１は一人作業でも，高齢者でも簡単に土中に打ち込める。その打ち込みの際には支柱立設部１の頭部（上端開口）がつぶれて変形しないように変形防止用のキャップ（図示せず）を使用すると良い。
【００１４】
次に、打ち込んで立設した支柱立設部１の上端開口に、図３に示すように支柱本体部４の下端を上方から差し込む。その際、支柱立設部１の突条部１ａに支柱本体部４の突条部４ａを合わせて差し込むと互いに回らずスムーズに嵌め込めるし、最終的には図２に示すように支柱本体部４の下端が支柱立設部１の上向き状くわえフック２に嵌まると同時に支柱立設部１の上端が支柱本体部４の下向き状くわえフック５に嵌まるので、一本の棒状に強固に接続される。
【００１５】
こうして図１に示すように支柱立設部１に支柱本体部４が接続されてなる支柱が完成した後、この支柱にネットを張ったり、野菜栽培時の紐を張ったり、そのまま添え木として使用したりすることができる。その際、ネットなどのマイカー線や針金・紐などを各上向きフック６に差し込んで支柱に簡単かつ強固に止められるので、従来のように針金や紐などで結束する作業が不要になる。また、支柱本体部４の長さを前もって選ぶことにより、ネットの高さ・野菜栽培時の野菜の丈・添え木の長さに合わせて、支柱の高さを最適なものにできるので、望み通りのネット張りや野菜栽培ができるし、また適寸な添え木が得られる。
【００１６】
以上のように打ち込みやすい長さの支柱立設部１のみを先に土中に打ち込んで立設した後、これに長めの支柱本体部４を差し込みにより嵌め込んで接続するだけで、簡単かつ安全に支柱の立設ができるので、従来のように長いものを脚立を使って打ち込み危険をおかさなくても、高齢者においても支柱の立設作業を一人で簡単かつ安全に行える。
【００１７】
支柱の腐食に対しては、支柱を丸ごと交換しなくても、土中に打ち込んで腐食した支柱立設部１のみを交換するだけで対応でき、また支柱本体部４の上向きフック６等の破損に対しても支柱本体部４のみを交換するだけで対応できるので、極めて経済的であり、長期使用が可能になる。また、長い支柱を支柱立設部１と支柱本体部４とに二分割できるので、運搬・格納にも大変便利である。
【００１８】
なお、以上の実施例で説明した支柱の形状（特に断面形状）や寸法はあくまでも一つの実施例であって、目的・用途に合わせて適宜変更できることは勿論である。例えば、支柱立設部及び支柱本体部の断面形状は図示したほぼ四角の形状に限られず、本考案の目的を損なわない限り、円形、多角形などの他の形状である場合も本考案に包含される。また、材料についても目的・用途に合わせて適材を選択すれば良い。さらに、支柱本体部４も一本の構成体としてだけでなく、複数の連結構成体として分割して使用する場合も本考案に包含され、この場合は、高い支柱立設作業や取扱いをさらに簡単にすることができる。さらに、動物の侵入を効果的に防ぐために支柱本体部４の上端部を湾曲させて忍び返しの機能を持たせることも本考案に包含される。
【産業上の利用可能性】
【００１９】
本考案の支柱は、防風ネット・防鳥ネット・獣害避けネットなどを張るとき、サヤエンドウ・キュウリ・ゴーヤ・山芋などの野菜栽培時に紐等を張るとき、植木成木の添え木用として使用するときなどに用いる支柱として林業、農業等の分野で広く活用できる。
【図面の簡単な説明】
【００２０】
【図１】この考案の一実施例を示す側面図である。
【図２】図１の接続部を示す部分拡大縦断面図である。
【図３】図２の接続状態に対して差込前の状態を示す部分拡大縦断面図である。
【図４】図３を下からみた図である。
【図５】図３を上からみた図概略図である。
【符号の説明】
【００２１】
１：支柱立設部
１ａ：支柱立設部１の突条部
１ｂ：支柱立設部１の開口部
２：上向き状くわえフック
３：尖鋭部
４：支柱本体部
４ａ：支柱本体部４の突条部
４ｂ：支柱本体部４の開口部
５：下向き状くわえフック
６：上向きフック
【図１】
0003131637.tif 000003
【図２】
0003131637.tif 000004
【図３】
0003131637.tif 000005
【図４】
0003131637.tif 000006
【図５】
0003131637.tif 000007